(57)【特許請求の範囲】
【請求項１】
光源部と、
前記光源部を保持し、一対の溝が形成された筐体と、
前記筐体を取付対象物に取り付ける取付金具と
を備え、
前記取付金具は、
前記一対の溝に嵌合可能である嵌合部と、
前記嵌合部と接続方向に接続し、前記取付対象物に固定可能である固定部と
を有し、
前記取付金具は、前記一対の溝に対して前記接続方向が平行になる方向に挿入可能であり、前記一対の溝に対して前記接続方向が直交する方向に挿入可能である、照明器具。
【請求項２】
前記嵌合部は、
前記固定部と接続する接続部と、
前記接続部から突出方向に突出する第１突部および第２突部と
を有し、
前記第１突部および前記第２突部は、前記一対の溝に嵌合可能である、請求項１に記載の照明器具。
【請求項３】
前記嵌合部の前記突出方向における長さは、前記嵌合部の前記突出方向と直交する方向における長さと等しい、請求項２に記載の照明器具。
【請求項４】
前記取付金具は、前記一対の溝に対して前記突出方向が直交する第１挿入方向に挿入可能であり、前記一対の溝に対して前記突出方向が平行になる第２挿入方向に挿入可能である、請求項３に記載の照明器具。
【請求項５】
前記第１突部および前記第２突部のそれぞれは、前記突出方向と直交する方向に延びる少なくとも１つの鍔部を有し、
前記鍔部のうちの少なくとも１つは係止部を有し、
前記係止部の高低差は前記一対の溝の高さよりも大きい、請求項２から請求項４のいずれか１項に記載の照明器具。
【請求項６】
前記鍔部は一対の鍔部を含み、
前記第１突部および前記第２突部のうち少なくとも一方において、前記一対の鍔部のうちの一方の鍔部の幅と他方の鍔部との幅とが異なる、請求項５に記載の照明器具。
【請求項７】
前記接続部と前記固定部とは段差を有する、請求項２から請求項６のいずれか１項に記載の照明器具。
【請求項８】
前記固定部は、第１固定部と第２固定部とを含み、
前記取付金具は、
前記第１固定部と接続する第１段差部と、
前記第２固定部と接続する第２段差部と
をさらに有し、
前記第１段差部の高さは、前記第２段差部の高さと異なる、請求項７に記載の照明器具。
【請求項９】
一対の溝が形成された筐体を有する照明器具を取付対象物に取り付ける取付金具であって、
前記一対の溝に嵌合可能である嵌合部と、
前記嵌合部と接続方向に接続し、前記取付対象物に固定可能である固定部と
を備え、
前記一対の溝に対して前記接続方向が平行になる方向に挿入可能であり、前記一対の溝に対して前記接続方向が直交する方向に挿入可能である、取付金具。
【請求項１０】
前記嵌合部は、
前記固定部と接続する接続部と、
前記接続部から突出方向に突出する第１突部および第２突部と
を有し、
前記第１突部および前記第２突部は、前記一対の溝に嵌合可能であり、
前記第１突部および前記第２突部のそれぞれは、前記突出方向と直交する方向に延びる少なくとも１つの鍔部を有し、
前記鍔部のうちの少なくとも１つは係止部を有し、
前記係止部の高低差は前記一対の溝の高さよりも大きい、請求項９に記載の取付金具。
【請求項１１】
前記嵌合部の前記突出方向の長さは、前記突出方向と直交する方向の長さと等しい、請求項１０に記載の取付金具。
【発明の詳細な説明】
【技術分野】
【０００１】
本発明は、照明器具および取付金具に関する。
【背景技術】
【０００２】
従来、例えば、壁面または床面の間接照明を行う照明器具が知られている（例えば、特許文献１）。特許文献１に記載の照明器具は、屋内の壁面または床面に沿って複数本を長手方向に連続して配置しており、光源としてＬＥＤ（Ｌｉｇｈｔ  Ｅｍｉｔｔｉｎｇ  Ｄｉｏｄｅ）が用いられている。特許文献１に記載の照明器具は、固定部を備えている。固定部は、筐体の両端部に設けられ、隣接する照明器具から独立して筐体を被設置面に固定する。したがって、複数本連続して配置された照明器具のうち、中間部にある照明器具を取り外す場合に、照明器具の固定部における固定を解除すれば、照明器具を取り外すことができる。
【先行技術文献】
【特許文献】
【０００３】
【特許文献１】特開２０１２−３３４０１号公報
【発明の概要】
【発明が解決しようとする課題】
【０００４】
しかしながら、特許文献１に記載の照明器具では、固定部が照明器具の筐体にネジで止められているため、筐体への固定部の取り付けおよび筐体からの固定部の取り外しが容易ではなかった。
【０００５】
本発明は上記課題に鑑みてなされたものであり、その目的は筐体への取付金具の取り付けおよび筐体からの取付金具の取り外しを容易に行うことができる照明器具および取付金具を提供することにある。
【課題を解決するための手段】
【０００６】
本願に開示する照明器具は、光源部と、筐体と、取付金具とを備える。前記筐体は、前記光源部を保持する。前記筐体は、一対の溝が形成されている。前記取付金具は、前記筐体を取付対象物に取り付ける。前記取付金具は、嵌合部と、固定部とを有する。前記嵌合部は、前記一対の溝に嵌合可能である。前記固定部は、前記嵌合部と接続方向に接続する。前記固定部は、前記取付対象物に固定可能である。前記取付金具は、前記一対の溝に対して前記接続方向が平行になる方向に挿入可能である。前記取付金具は、前記一対の溝に対して前記接続方向が直交する方向に挿入可能である。
【０００７】
本願に開示する照明器具において、前記嵌合部は、接続部と、第１突部および第２突部とを有することが好ましい。前記接続部は、前記固定部と接続することが好ましい。前記第１突部および前記第２突部は、前記接続部から突出方向に突出することが好ましい。前記第１突部および前記第２突部は、前記一対の溝に嵌合可能であることが好ましい。
【０００８】
本願に開示する照明器具において、前記嵌合部の前記突出方向における長さは、前記嵌合部の前記突出方向と直交する方向における長さと等しいことが好ましい。
【０００９】
本願に開示する照明器具において、前記取付金具は、前記一対の溝に対して前記突出方向が直交する第１挿入方向に挿入可能であることが好ましい。前記取付金具は、前記一対の溝に対して前記突出方向が平行になる第２挿入方向に挿入可能であることが好ましい。
【００１０】
本願に開示する照明器具において、前記第１突部および前記第２突部のそれぞれは、前記突出方向と直交する方向に延びる少なくとも１つの鍔部を有することが好ましい。前記鍔部のうちの少なくとも１つは係止部を有することが好ましい。前記係止部の高低差は前記一対の溝の高さよりも大きいことが好ましい。
【００１１】
本願に開示する照明器具において、前記鍔部は一対の鍔部を含むことが好ましい。前記第１突部および前記第２突部のうち少なくとも一方において、前記一対の鍔部のうちの一方の鍔部の幅と他方の鍔部との幅とが異なることが好ましい。
【００１２】
本願に開示する照明器具において、前記接続部と前記固定部とは段差を有することが好ましい。
【００１３】
本願に開示する照明器具において、前記固定部は、第１固定部と第２固定部とを含むことが好ましい。前記取付金具は、第１段差部と、第２段差部とをさらに有することが好ましい。前記第１段差部は、前記第１固定部と接続することが好ましい。前記第２段差部は、前記第２固定部と接続することが好ましい。前記第１段差部の高さは、前記第２段差部の高さと異なることが好ましい。
【００１４】
本願に開示する取付金具は、一対の溝が形成された筐体を有する照明器具を取付対象物に取り付ける。前記取付金具は、嵌合部と、固定部とを備える。前記嵌合部は、前記一対の溝に嵌合可能である。前記固定部は、前記嵌合部と接続方向に接続する。前記固定部は、前記取付対象物に固定可能である。前記取付金具は、前記一対の溝に対して前記接続方向が平行になる方向に挿入可能である。前記取付金具は、前記一対の溝に対して前記接続方向が直交する方向に挿入可能である。
【００１５】
本願に開示する取付金具において、前記嵌合部は、接続部と、第１突部および第２突部とを有することが好ましい。前記接続部は、前記固定部と接続することが好ましい。前記第１突部および前記第２突部は、前記接続部から突出方向に突出することが好ましい。前記第１突部および前記第２突部は、前記一対の溝に嵌合可能であることが好ましい。前記第１突部および前記第２突部のそれぞれは、前記突出方向と直交する方向に延びる少なくとも１つの鍔部を有することが好ましい。前記鍔部のうちの少なくとも１つは係止部を有することが好ましい。前記係止部の高低差は前記一対の溝の高さよりも大きいことが好ましい。
【００１６】
本願に開示する取付金具において、前記嵌合部の前記突出方向の長さは、前記突出方向と直交する方向の長さと等しいことが好ましい。
【発明の効果】
【００１７】
本発明によれば、筐体への取付金具の取り付けおよび筐体からの取付金具の取り外しを容易に行うことができる。
【図面の簡単な説明】
【００１８】
【図１】本発明の実施形態に係る照明器具の斜視図である。
【図２】（ａ）は、図１のＩＩａ−ＩＩａ線に沿った断面図である。（ｂ）は、図２（ａ）のＩＩｂ−ＩＩｂ線に沿った断面図である。
【図３】（ａ）は、本発明の実施形態に係る取付金具の斜視図である。（ｂ）は、本発明の実施形態に係る取付金具の上面図である。（ｃ）は、図３（ｂ）のＩＩＩｃ−ＩＩＩｃ線に沿った断面図である。
【図４】（ａ）は、筐体の端部の分解斜視図である。（ｂ）は、筐体の端部の斜視図である。
【図５】（ａ）は、筐体の端部の分解斜視図である。（ｂ）は、筐体の端部の斜視図である。
【図６】（ａ）および（ｂ）は、本発明の実施形態に係る照明器具の上面図である。
【図７】本発明の実施形態に係る照明器具および照明器具を配置した斜視図である。
【図８】本発明の実施形態に係る取付金具の断面図である。
【発明を実施するための形態】
【００１９】
以下、本発明の実施形態について、図面を参照しながら説明する。なお、図中、同一または相当部分については同一の参照符号を付して説明を繰り返さない。
【００２０】
図１および図２を参照して、本発明の実施形態に係る照明器具１００について説明する。図１は、本発明の実施形態に係る照明器具１００の斜視図である。図２（ａ）は、図１のＩＩａ−ＩＩａ線に沿った断面図である。図２（ｂ）は、図２（ａ）のＩＩｂ−ＩＩｂ線に沿った断面図である。図２（ａ）および図２（ｂ）において、Ｘ軸およびＹ軸は水平方向に沿っており、Ｙ軸は照明器具１００の長手方向に沿っており、Ｚ軸は鉛直方向に沿っており、Ｘ軸、Ｙ軸、およびＺ軸は互いに直交する。
【００２１】
照明器具１００は、光源部１０と、筐体２０と、取付金具３０とを備える。照明器具１００は、さらに、セード１４、端子台１５、点灯装置１６および端部セード５０を備える。照明器具１００は、例えば、間接照明である。照明器具１００は、取付対象物Ｗに取り付けられる。取付対象物Ｗは、例えば、床面、壁面または天井である。本実施形態では、取付対象物Ｗは、床面である。
【００２２】
筐体２０は、本体部２１および底板部６１を有する。本体部２１は、断面形状が略Ｈ字型である。本体部２１は、熱伝導性を有するアルミニウムのような金属素材の押し出し材で形成されている。本体部２１は、横板部２２と、側板部２３とを有する。側板部２３は、横板部２２の短手方向の両側に形成される。本体部２１の横板部２２の上方は開放されており、開放部２７を形成している。本体部２１の横板部２２の下方は開放されており、開放部２８を形成している。本体部２１の横板部２２の長手方向の両端部も開放されている。側板部２３の上部には、上部溝部２４が対向して形成される。上部溝部２４は、セード１４を差し込んで保持させる。側板部２３の下部には、一対の溝４０が形成されている。一対の溝４０は対向している。一対の溝４０には、取付金具３０が挿入される。さらに、一対の溝４０の上面は、底板部６１を保持する。横板部２２の下部の両側には、端部セード５０をネジ５３で取り付けるためのネジ取付け部２６が形成されている。
【００２３】
図２（ａ）に示すように、底板部６１は、本体部２１の下部の開放部２８の一部を閉塞するものである。底板部６１は金属の板金部材で形成されている。底板部６１は本体部２１の下方に被せて一対の溝４０の上面に当接させる。底板部６１の長手方向の両端部は折り曲げられている。底板部６１は、ネジ６２で本体部２１の横板部２２に固定される。底板部６１は、本体部２１の長手方向の長さよりも短い。底板部６１は、本体部２１に取り付けられた状態で、本体部２１の下部の開放部２８のうち、長手方向の両端側は閉塞せずに開放された状態となる。したがって、本体部２１の両端部の開放部２８に、電源線または送り線を挿通させることができる。
【００２４】
光源部１０は、基板８１および点光源としての複数のＬＥＤ素子８２を有する。光源部１０は、本体部２１の横板部２２の上部に配置されている。隣接するＬＥＤ素子８２の距離が略等間隔になるように、複数のＬＥＤ素子８２は配置される。
【００２５】
セード１４は、本体部２１の上部の開放部２７を閉塞する。セード１４は、光源部１０からの光を透過させて、照射面を形成する部材である。セード１４は、例えば、透光性を有する半透明のアクリル系樹脂素材で形成される。セード１４は、本体部２１の上部溝部２４の長手方向の端部から差し込んで保持される。
【００２６】
端子台１５は、外部電源からの電源線、または隣接する照明器具１００からの送り線の端子が差込口に差し込まれて電気的に接続される。端子台１５は、本体部２１の横板部２２の下部において、本体部２１の一端に設けられる。端子台１５の差込口は本体部２１の端部側に向けられている。
【００２７】
点灯装置１６と光源部１０とは、電線（図示せず）を介して電気的に接続される。点灯装置１６は、光源部１０のＬＥＤ素子８２を点灯させる。点灯装置１６は、本体部２１の横板部２２の下部に配置されている。点灯装置１６は、端子台１５と電線（図示せず）によって電気的に接続されている。
【００２８】
取付金具３０は、筐体２０を取付対象物Ｗに取り付けるための部品である。取付金具３０は、筐体２０の両端部に取り付けられる。取付金具３０は、金属の板金部材で形成されている。取付金具３０は、一対の溝４０に嵌合可能である。
【００２９】
端部セード５０は、筐体２０の両端部に設けられる。端部セード５０は、例えば、セード１４と同じ素材で形成される。端部セード５０は、例えば、透光性を有する半透明のアクリル系樹脂素材で形成される。したがって、光源部１０から照射される光が遮られない。端部セード５０は、本体部５１と突出部５２とを有する。なお、端部セード５０は、遮光する材料で形成されていてもよい。
【００３０】
図２および図３を参照して、本発明の実施形態に係る取付金具３０について説明する。図３（ａ）は、本発明の実施形態に係る取付金具３０の斜視図である。図３（ｂ）は、本発明の実施形態に係る取付金具３０の上面図である。図３（ｃ）は、図３（ｂ）のＩＩＩｃ−ＩＩＩｃ線に沿った断面図である。
【００３１】
取付金具３０は、嵌合部３７と、第１固定部３４ａと、第２固定部３４ｂと、第１段差部３６ａと、第２段差部３６ｂとを有する。
【００３２】
嵌合部３７は、一対の溝４０に嵌合可能である。嵌合部３７は、接続部３８と、第１突部３２ａと、第２突部３２ｂとを有する。接続部３８と、第１突部３２ａと、第２突部３２ｂとは、それぞれ平坦状である。接続部３８と、第１突部３２ａと、第２突部３２ｂとは同一平面上に設けられる。接続部３８は、第１固定部３４ａおよび第２固定部３４ｂに接続する。第１突部３２ａは、接続部３８から突出方向Ｄ１に突出する。第２突部３２ｂは、接続部３８から突出方向Ｄ１に突出する。第１突部３２ａおよび第２突部３２ｂは、一対の溝４０に嵌合可能である。第１突部３２ａと第２突部３２ｂとは、逆方向に突出している。
【００３３】
第１突部３２ａは、第１鍔部３５ａと、第２鍔部３５ｂとを有する。第１鍔部３５ａおよび第２鍔部３５ｂは、突出方向Ｄ１と直交する方向Ｄ２に延びる。第２突部３２ｂは、第３鍔部３５ｃと、第４鍔部３５ｄとを有する。第３鍔部３５ｃおよび第４鍔部３５ｄは、突出方向Ｄ１と直交する方向Ｄ２に延びる。第４鍔部３５ｄは、係止部３９を有する。係止部３９は、第４鍔部３５ｄの端部を折り曲げることによって形成される。係止部３９の高低差ｄ７は、一対の溝４０の高さｄ１００（図２（ｂ）参照）よりも大きい。したがって、取付金具３０を一対の溝４０に挿入する際、係止部３９が一対の溝４０に挿入されず、係止部３９が筐体２０の本体部２１の端部に当接する。その結果、筐体２０に対して取付金具３０を所定の位置に配置することができる。
【００３４】
嵌合部３７の突出方向Ｄ１における長さｄ２は、嵌合部３７の突出方向Ｄ１と直交する方向Ｄ２における長さｄ１の長さと等しい。また、長さｄ１および長さｄ２は、一対の溝４０の間隔ｄ２００（図２（ｂ）参照）よりも小さい。したがって、取付金具３０は一対の溝４０に対して取付金具３０を２方向から挿入することができる。また、第３鍔部３５ｃの幅ｄ３は、第４鍔部３５ｄの幅ｄ４よりも大きい。
【００３５】
第１固定部３４ａおよび第２固定部３４ｂは、取付対象物Ｗに固定可能である。第１固定部３４ａおよび第２固定部３４ｂは、平坦状である。第１固定部３４ａは、貫通孔３４１ａを有する。貫通孔３４１ａは、ネジ１９を取り付けるための孔である。第２固定部３４ｂは、貫通孔３４１ｂを有する。貫通孔３４１ｂは、ネジ１９を取り付けるための孔である。方向Ｄ２における第１固定部３４ａの端部から第２固定部３４ｂの端部までの距離ｄ５は、嵌合部３７の突出方向Ｄ１における長さｄ１よりも長い。
【００３６】
接続部３８と第１固定部３４ａとは段差ｄ６を有する。接続部３８と第２固定部３４ｂとは段差ｄ６を有する。したがって、嵌合部３７を一対の溝４０に嵌合させることができ、かつ固定部３４を取付対象物Ｗに固定することができる。なお、段差ｄ６が無い場合、固定部３４は、溝４０の下部の筐体２０の厚み分、取付対象物Ｗの表面から浮いてしまうこととなるが、本実施形態ではこのような問題を段差ｄ６を設けることで解消している。また、段差ｄ６をやや大きく形成し、取付対象物Ｗと照明器具１００との間に隙間を形成する（照明器具１００を取付対象物Ｗから浮かせる）ことが好ましい。これにより、照明器具１００の下方における空気流通が良くなり、放熱性が向上する。
【００３７】
貫通孔３４１ａから貫通孔３４２ｂまでの距離ｄ１０は、筐体２０の短手方向の幅ｄ３００（図２（ｂ）参照）よりも大きい。したがって、照明器具１００を取付対象物Ｗにネジで固定する際に、貫通孔３４１ａおよび３４２ｂに取り付けられたネジが筐体２０に干渉しないため、照明器具１００の姿勢が安定する。また、取付金具３０を保持した照明器具１００を取付対象物Ｗにネジで固定する際に、貫通孔３４１ａから３４２ｂが筐体２０から離れているためネジ留め作業がしやすい。
【００３８】
図１〜図５を参照して、取付金具３０の筐体２０への挿入について説明する。
図４（ａ）および図５（ａ）は、筐体２０の端部の分解斜視図である。図４（ｂ）および図５（ｂ）は、筐体２０の端部の斜視図である。図４（ｂ）は、第１挿入方向Ｄ３で取付金具３０を筐体２０の本体部２１に挿入した状態を示す。図５（ｂ）は、第２挿入方向Ｄ４で取付金具３０を筐体２０の本体部２１に挿入した状態を示す。
【００３９】
まず、図４（ａ）および図４（ｂ）を参照して、第１挿入方向Ｄ３について説明する。
【００４０】
端部セード５０は、本体部５１と突出部５２とを有する。突出部５２は、本体部５１から突出する。突出部５２は、半円状である。端部セード５０の突出部５２の形状は、セード１４の形状に対応する。ネジ５３がネジ取付け部２６に取り付けられることによって、端部セード５０は筐体２０の本体部２１に取り付けられる。
【００４１】
取付金具３０は、第１挿入方向Ｄ３に挿入可能である。第１挿入方向Ｄ３は、一対の溝４０に対して取付金具３０の突出方向Ｄ１に直交する。具体的には、第１突部３２ａの第１鍔部３５ａを溝４０に対向させ、かつ、第２突部３２ｂの第３鍔部３５ｃを一対の溝４０に対向させた状態から、取付金具３０を一対の溝４０にスライドさせることによって取付金具３０は一対の溝４０に挿入される。第４鍔部３５ｄは係止部３９を有しているため、係止部３９が筐体２０の本体部２１の端部に当接する。その結果、筐体２０に対して取付金具３０を所定の位置に配置することができる。
【００４２】
取付金具３０を一対の溝４０に挿入させた後、ネジ１９（図１参照）を第１固定部３４ａの貫通孔３４１ａに挿入し、ネジ１９を取付対象物Ｗの任意の位置に捩じ込むことで、筐体２０は取付対象物Ｗに取付られる。取付金具３０の第１突部３２ａおよび第２突部３２ｂが一対の溝４０に嵌合しているため、ネジ１９を締めることによって、第１突部３２ａおよび第２突部３２ｂが一対の溝４０を取付対象物Ｗに押さえつける。したがって、筐体２０が取付対象物Ｗに強固に固定される。
【００４３】
続いて、図５（ａ）および図５（ｂ）を参照して、第２挿入方向Ｄ４について説明する。
【００４４】
取付金具３０は、第２挿入方向Ｄ４に挿入可能である。第２挿入方向Ｄ４は、一対の溝４０に対して取付金具３０の突出方向Ｄ１と平行になる。具体的には、第１突部３２ａの第１鍔部３５ａを溝４０に対向させ、かつ、第１突部３２ａの第２鍔部３５ｂを溝４０に対向させた状態から、取付金具３０を一対の溝４０にスライドさせることによって取付金具３０は一対の溝４０に挿入される。第４鍔部３５ｄは係止部３９を有しているため、係止部３９が筐体２０の本体部２１の端部に当接する。その結果、筐体２０に対して取付金具３０を所定の位置に配置することができる。
【００４５】
取付金具３０を一対の溝４０に挿入させた後、ネジ１９を第１固定部３４ａの貫通孔３４１ａおよび第２固定部３４ｂの貫通孔３４１ｂに挿入し、ネジ１９を取付対象物Ｗの任意の位置に捩じ込むことで、筐体２０は取付対象物Ｗに取付られる。取付金具３０の第１突部３２ａおよび第２突部３２ｂが一対の溝４０に嵌合しているため、ネジ１９を締めることによって、第１突部３２ａおよび第２突部３２ｂが一対の溝４０を取付対象物Ｗに押さえつける。したがって、筐体２０が取付対象物Ｗに強固に固定される。
【００４６】
また、図３（ｂ）に示すように、第３鍔部３５ｃの幅ｄ３は、第４鍔部３５ｄの幅ｄ４よりも大きい。したがって、取付金具３０を一対の溝４０へ第２挿入方向Ｄ４に挿入させた場合、第１鍔部３５ａおよび第２鍔部３５ｂに加えて、第３鍔部３５ｃの領域Ａにおいても一対の溝４０と嵌合する。したがって、取付金具３０は３点で一対の溝４０に当接し、取付金具３０と一対の溝４０との接触面積を増加させることができる。その結果、筐体２０が取付対象物Ｗに強固に固定される。
【００４７】
図５（ｂ）に示すように、取付金具３０が一対の溝４０に挿入された状態で、端部セード５０の端部と、取付金具３０の端部とは面一になる。
【００４８】
図６（ａ）および図６（ｂ）を参照して、本発明の実施形態に係る照明器具１００について説明する。図６（ａ）および図６（ｂ）は、本発明の実施形態に係る照明器具１００の上面図である。図６（ａ）および図６（ｂ）では、セード１４は省略している。図６（ａ）は、取付金具３０を第１挿入方向Ｄ３に挿入した状態を示す。図６（ｂ）は、取付金具３０を第２挿入方向Ｄ４に挿入した状態を示す。
【００４９】
図６（ａ）に示すように、取付金具３０を第１挿入方向Ｄ３に挿入した状態では、取付金具３０は、筐体２０の幅方向（Ｘ方向）に突出しない。したがって、筐体２０の幅方向に十分な照明器具１００の配置スペースが確保できない場合であっても、照明器具１００を取付対象物Ｗに取り付けることができる。
【００５０】
一方、図６（ｂ）に示すように、取付金具３０を第２挿入方向Ｄ４に挿入した状態では、取付金具３０は、筐体２０の長手方向（Ｙ方向）に突出しない。したがって、複数の照明器具１００を長手方向に連続して配置する場合、端部セード５０を隣接配置される他の照明器具１００の端部セード５０と突き合わせることによって、複数の照明器具１００を接近させて配置することができる。これにより、複数の照明器具１００を長手方向に連続して配置して点灯させた際に、隣り合う照明器具１００の間における照度低下を防ぎ、照度ムラを軽減できる。
【００５１】
図６（ａ）および図６（ｂ）を参照して説明したように、照明器具１００の取付空間に応じて、取付金具３０の挿入方向を容易に変更させることができる。
【００５２】
図７を参照して、本発明の実施形態に係る照明器具１００について説明する。図７は、本発明の実施形態に係る照明器具１００ａおよび照明器具１００ｂを配置した斜視図である。
【００５３】
取付金具３０が一対の溝４０に挿入された状態で、端部セード５０の端部と、取付金具３０の端部とは面一になる。したがって、図７に示すように、照明器具１００ａの端部セード５０と、照明器具１００ｂの端部セード５０とを突き合わせることができる。その結果、照明器具１００ａと照明器具１００ｂとを接近させて配置させることができる。
【００５４】
以上、図１〜図７を参照して説明したように、照明器具１００において、取付金具３０の嵌合部３７は、一対の溝４０に嵌合可能である。したがって、筐体２０への取付金具３０の取り付けおよび筐体２０からの取付金具３０の取り外しを容易に行うことができる。その結果、筐体２０から取付金具３０を取り外すことによって、照明器具１００を搬送しやすい。また、筐体２０に取付金具３０を取り付けることによって、容易に照明器具１００を取付対象物Ｗに取り付けることができる。
【００５５】
また、嵌合部３７の突出方向Ｄ１における長さは、嵌合部３７の突出方向Ｄ１と直交する方向Ｄ２における長さと等しい。したがって、取付金具３０は一対の溝４０に対して取付金具３０を２方向から挿入することができる。
【００５６】
また、取付金具３０は、第１挿入方向Ｄ３に挿入可能である。第１挿入方向Ｄ３は、一対の溝４０に対して突出方向Ｄ１に直交する。また、取付金具３０は、第２挿入方向Ｄ４に挿入可能である。第２挿入方向Ｄ４は、一対の溝４０に対して突出方向Ｄ１と平行になる。したがって、照明器具１００の用途に応じて、取付金具３０の挿入方向を容易に変更させることができる。
【００５７】
また、第４鍔部３５ｄは、係止部３９を有する。係止部３９の高低差ｄ７は一対の溝４０の高さｄ１００よりも大きい。したがって、取付金具３０を一対の溝４０に挿入した際、係止部３９が筐体２０の本体部２１の端部に当接する。その結果、筐体２０に対して取付金具３０を所定の位置に配置することができる。
【００５８】
また、第３鍔部３５ｃの幅ｄ３は、第４鍔部３５ｄの幅ｄ４よりも大きい。したがって、取付金具３０を一対の溝４０へ第２挿入方向Ｄ４に挿入させた場合、第１鍔部３５ａおよび第２鍔部３５ｂに加えて、第３鍔部３５ｃの領域Ａにおいても一対の溝４０と嵌合する。したがって、取付金具３０は３点で一対の溝４０に当接する。その結果、筐体２０が取付対象物Ｗに強固に固定される。
【００５９】
また、接続部３８と固定部３４とは段差ｄ６を有する。したがって、接続部３８を一対の溝４０に嵌合させることができ、かつ固定部３４を取付対象物Ｗに固定することができる。なお、段差ｄ６が無い場合、固定部３４は、溝４０の下部の筐体２０の厚み分、取付対象物Ｗの表面から浮いてしまうこととなるが、本実施形態ではこのような問題を段差ｄ６を設けることで解消している。また、段差ｄ６をやや大きく形成し、取付対象物Ｗと照明器具１００との間に隙間を形成する（照明器具１００を取付対象物Ｗから浮かせる）ことが好ましい。これにより、照明器具１００の下方における空気流通が良くなり、放熱性が向上する。
【００６０】
図８を参照して、本発明の実施形態に係る取付金具３０について説明する。図８は、本発明の実施形態に係る取付金具３０の断面図である。第１段差部３６ａの高さｄ８が、第２段差部３６ｂの高さｄ９と異なる点を除いて図３を参照して説明した取付金具３０と同様な構成を有するため、重複部分については説明を省略する。
【００６１】
取付金具３０は、嵌合部３７と、第１固定部３４ａと、第２固定部３４ｂと、第１段差部３６ａと、第２段差部３６ｂとを有する。第１段差部３６ａの高さｄ８が、第２段差部３６ｂの高さｄ９と異なる。したがって嵌合部３７は、第１固定部３４ａおよび第２固定部３４ｂに対して傾斜する。したがって、照明器具１００の筐体２０を取付金具３０によって取付対象物Ｗに取り付けた際、取付対象物Ｗに対して、照明器具１００は傾斜して配置することができる。また、第１段差部３６ａの高さｄ８および第２段差部３６ｂの高さｄ９を変更することによって、取付対象物Ｗに対する照明器具１００の角度を変更できる。その結果、所望の角度に照明器具１００の光を照射させることができる。
【００６２】
以上、図面（図１〜図８）を参照しながら本発明の実施形態を説明した。但し、本発明は、上記の実施形態に限られるものではなく、その要旨を逸脱しない範囲で種々の態様において実施することが可能である（例えば、下記に示す（１）〜（６））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６３】
（１）図１〜図８を参照して説明したように、本実施形態では、光源としてＬＥＤ素子８２を用いたが、これに限定されない。例えば、光源として、蛍光灯または蛍光灯型のＬＥＤ光源を用いてもよい。
【００６４】
（２）図１〜図８を参照して説明したように、本実施形態では、取付金具３０の接続部３８と固定部３４とは段差を有していたが、これに限定されない。例えば、取付金具３０の接続部３８と固定部３４とは段差が無くてもよい。
【００６５】
（３）図１〜図８を参照して説明したように、本実施形態では、取付金具３０は、２つの固定部３４を有していたが、これに限定されない。取付金具３０は、固定部３４を１つのみ有していてもよい。
【００６６】
（４）図１〜図８を参照して説明したように、本実施形態では、取付金具３０の嵌合部３７は、第１突部３２ａおよび第２突部３２ｂを有していたが、これに限定されない。取付金具３０の嵌合部３７は、第１突部３２ａのみ有していてもよい。あるいは、取付金具３０の嵌合部３７は、突部３２を有していなくてもよい。
【００６７】
（５）図１〜図８を参照して説明したように、本実施形態では、係止部３９は、第４鍔部３５ｄの端部を折り曲げることによって設けられていたが、これに限定されない。係止部３９として第４鍔部３５ｄの端部に突起を設けるようにしてもよい。あるいは、鍔部３５に係止部３９を有していなくてもよい。
【００６８】
（６）図１〜図８を参照して説明したように、本実施形態では、接続部３８は平坦状であったが、これに限定されない。例えば、接続部３８は、凹凸を有する形状であってもよい。
【符号の説明】
【００６９】
１０      光源部
２０      筐体
３０      取付金具
３２ａ    第１突部
３２ｂ    第２突部
３４ａ    第１固定部
３４ｂ    第２固定部
３５ａ    第１鍔部
３５ｂ    第２鍔部
３５ｃ    第３鍔部
３５ｄ    第４鍔部
３６ａ    第１段差部
３６ｂ    第２段差部
３７      嵌合部
３８      接続部
３９      係止部
４０      溝
１００    照明器具
１００ａ  照明器具
１００ｂ  照明器具
Ｄ１      突出方向
Ｄ２      方向
Ｄ３      第１挿入方向
Ｄ４      第２挿入方向
Ｗ        取付対象物
【図１】
0006529815.tif 000002
【図２】
0006529815.tif 000003
【図３】
0006529815.tif 000004
【図４】
0006529815.tif 000005
【図５】
0006529815.tif 000006
【図６】
0006529815.tif 000007
【図７】
0006529815.tif 000008
【図８】
0006529815.tif 000009